(57)【要約】【課題】携帯装置において表示する地図上に現在位置等を表したナビゲーション画像の、できるだけ多くの領域を、良好な視認性をもって表示する「車載装置」を提供する。【解決手段】スマートフォン２から取得したナビゲーション画面画像（ａ）の、上方の一部を除く画像部分を表示対象画像として抽出し（ｂ）、抽出した表示対象画像（ｂ）を、上方ほど縦方向の縮尺が小さくなるように縮小して、全体のアスペクト比が、車載装置１の表示装置１０２のアスペクト比と一致するように変換する（ｄ）。そして、変換した画像（ｄ）を相似変換によって拡大/縮小して、表示装置１０２の画面と同サイズの表示ナビゲーション画像を生成し、表示装置１０２に表示する。【選択図】図２
2014010063.tif 000002
【特許請求の範囲】
【請求項１】
横長の表示画面を有する表示装置を備えた、携帯装置を接続可能な車載装置であって、
接続された前記携帯装置から、現在の進行方向が上方向となるように表した地図上の下方位置に現在位置を表した、縦長のナビゲーション画像を取得するナビゲーション画像取得手段と、
前記ナビゲーション画像取得手段が取得した前記ナビゲーション画像もしくは前記ナビゲーション画像の上方の部分を除いた画像を、より上方の部分ほど縦方向の縮尺がより小さくなり、かつ、全体の縦横のサイズが前記表示装置の表示画面の縦横のサイズと一致するように変換した画像を、表示ナビゲーション画像として生成する表示ナビゲーション画像生成手段と、
前記表示ナビゲーション画像生成手段が生成した前記表示ナビゲーション画像を前記表示装置に表示する表示ナビゲーション画像表示手段とを有することを特徴とする車載装置。
【請求項２】
請求項１記載の車載装置であって、
前記表示ナビゲーション画像生成手段は、前記ナビゲーション画像取得手段が取得した前記ナビゲーション画像もしくは前記ナビゲーション画像の下方の領域内の画像を、より上方の部分ほど縦方向の縮尺がより小さくなり、かつ、全体のアスペクト比が前記表示装置の表示画面のアスペクト比に一致するように縦方向に、横方向に対して相対的に縮小した画像であって、下方の部分における縦方向の縮小の横方向の縮小に対する相対的な縮小の比率が１：１である画像を前記表示ナビゲーション画像として生成することを特徴とする車載装置。
【請求項３】
請求項１または２記載の車載装置であって、
前記ナビゲーション画像取得手段が取得する前記ナビゲーション画像は、ユーザ操作を受け付けるための表示オブジェクトの画像部分を含んでおり、
当該車載装置は、前記ナビゲーション画像取得手段が取得した前記ナビゲーション画像から、前記表示オブジェクトの画像部分を抽出し、前記表示装置に、表示ナビゲーション画像の表示上に重畳表示する形態で、前記抽出した画像部分もしくは当該画像部分を拡大した画像を表示する表示オブジェクト表示手段を有することを特徴とする車載装置。
【請求項４】
横長の表示画面を有する表示装置を備えた、携帯装置を接続可能なコンピュータによって読み取られ実行されるコンピュータプログラムであって、
前記コンピュータに、
接続された前記携帯装置から、現在の進行方向が上方向となるように表した地図上の下方位置に現在位置を表した、縦長のナビゲーション画像を取得するステップと、
取得した前記ナビゲーション画像もしくは前記ナビゲーション画像の上方の部分を除いた画像を、より上方の部分ほど縦方向の縮尺がより小さくなり、かつ、全体の縦横のサイズが前記表示装置の表示画面の縦横のサイズと一致するように変換した画像を、表示ナビゲーション画像として生成するステップと、
前記生成した前記表示ナビゲーション画像を前記表示装置に表示するステップとを実行させることを特徴とするコンピュータプログラム。
【発明の詳細な説明】
【技術分野】
【０００１】
本発明は、携帯装置において生成し携帯装置の内蔵ディスプレイに表示する、地図上に現在位置等を表したナビゲーション画像を、外部の表示装置に表示する技術に関するものである。
【背景技術】
【０００２】
携帯装置において生成し携帯装置の内蔵ディスプレイに表示する、地図上に現在位置等を表したナビゲーション画像を、外部の表示装置に表示する技術としては、外部の表示装置に接続されたときに、携帯装置において生成するナビゲーション画像の解像度やアスペクト比を、接続された表示装置に整合する解像度やアスペクト比に変更した上で、携帯装置から外部の表示装置に生成したナビゲーション画像を出力することにより、外部の表示装置の表示画面の全体に携帯装置において生成したナビゲーション画像を表示する技術が知られている（たとえば、特許文献１）。
【先行技術文献】
【特許文献】
【０００３】
【特許文献１】特許第4028580号公報
【発明の概要】
【発明が解決しようとする課題】
【０００４】
上述した、携帯装置において生成するナビゲーション画像の解像度やアスペクト比を、接続された表示装置に整合する解像度やアスペクト比に変更して外部の表示装置に出力する技術は、生成する画像の解像度やアスペクト比を変更して外部に出力する機能を備えていない携帯装置には適用することはできない。
【０００５】
一方、携帯装置において生成した携帯装置の内蔵ディスプレイに整合するアスペクト比を有するナビゲーション画像を、拡大/縮小を行って外部の表示装置に表示することとすると、アスペクト比の違いより、外部の表示装置の表示画面の全体をナビゲーション画像の表示に用いることができずにナビゲーション画像の視認性が劣化したり、ナビゲーション画像の全体を表示することができずにユーザに充分な情報を提示できなくなったり、ナビゲーション画像が大きく変形してユーザに充分な情報を提示できなくなるなどの問題が生じる。
【０００６】
すなわち、たとえば、携帯装置の内蔵ディスプレイに整合するナビゲーション画像が図５ａに示すように縦長の画像であり、外部の表示装置の表示画面が横長の表示画面である場合に、外部の表示装置において、縦方向の大きさが外部の表示装置の表示画面の縦方向の大きさに一致するようにナビゲーション画像を相似変換により拡大/縮小して、ナビゲーション画像全体を外部の表示装置に表示する場合には、図５ｂに示すように外部の表示装置の左右の領域がナビゲーション画像の表示に用いられないこととなる。また、横方向の大きさが外部の表示装置の表示画面の横方向の大きさに一致するようにナビゲーション画像を相似変換により拡大/縮小して、外部の表示装置の表示画面の全体に表示する場合には、図５ｃに示すようにナビゲーション画像の縦方向のほんの一部しか、外部の表示装置に表示されないこととなってしまう。また、縦及び横方向の大きさが外部の表示装置の表示画面の縦及び横方向の大きさに一致するようにナビゲーション画像を、縦方向と横方向を異なる倍率で拡大/縮小して外部の表示装置に表示することも考えられるが、このようにすると図５ｄに示すように、外部の表示装置に表示されるナビゲーション画像の変形の度合いが大きく、ナビゲーション画像の視認性が大きく損なわれることとなる。
【０００７】
そこで、本発明は、携帯装置において生成される携帯装置の内蔵ディスプレイに整合するアスペクト比を有するナビゲーション画像の、できるだけ多くの領域を、良好な視認性をもって外部の表示装置に表示することを課題とする。
【課題を解決するための手段】
【０００８】
前記課題達成のために、本発明は、横長の表示画面を有する表示装置を備えた、携帯装置を接続可能な車載装置に、接続された前記携帯装置から、現在の進行方向が上方向となるように表した地図上の下方位置に現在位置を表した、縦長のナビゲーション画像を取得するナビゲーション画像取得手段と、前記ナビゲーション画像取得手段が取得した前記ナビゲーション画像もしくは前記ナビゲーション画像の上方の部分を除いた画像を、より上方の部分ほど縦方向の縮尺がより小さくなり、かつ、全体の縦横のサイズが前記表示装置の表示画面の縦横のサイズと一致するように変換した画像を、表示ナビゲーション画像として生成する表示ナビゲーション画像生成手段と、前記表示ナビゲーション画像生成手段が生成した前記表示ナビゲーション画像を前記表示装置に表示する表示ナビゲーション画像表示手段とを備えたものである。
【０００９】
ここで、このような車載装置は、より具体的には、前記表示ナビゲーション画像生成手段において、前記ナビゲーション画像取得手段が取得した前記ナビゲーション画像もしくは前記ナビゲーション画像の下方の領域内の画像を、より上方の部分ほど縦方向の縮尺がより小さくなり、かつ、全体のアスペクト比が前記表示装置の表示画面のアスペクト比に一致するように縦方向に、横方向に対して相対的に縮小した画像であって、下方の部分における縦方向の縮小の横方向の縮小に対する相対的な縮小の比率が１：１である画像を前記表示ナビゲーション画像として生成するように構成してもよい。
【００１０】
このような車載装置によれば、現在位置より進行方向側に遠くなるほど縮尺が小さくなる地図上に現在位置を表した表示ナビゲーション画像として、携帯装置から取得したナビゲーション画像から生成して表示することができる。ここで、このような表示ナビゲーション画像は、擬似的に略現在地上方より俯瞰的に進行方向を眺めた地図上に現在位置を表した画像となるため、その表示は自然であり、かつ、最も重要な現在地周辺については歪み少なく地図を表したものとなる。よって、このような表示ナビゲーション画像の携帯装置より取得したナビゲーション画像に対する歪みは、ユーザの視認性を大きく劣化させることはない。また、比較的、進行方向側の多くの領域の地図を、表示装置の表示画面の全体を有効に用いて表示装置に表示することができる。
【００１１】
なお、ナビゲーション画像取得手段が取得する前記ナビゲーション画像が、ユーザ操作を受け付けるための表示オブジェクトの画像部分を含んでいるものである場合には、以上のような車載装置に、さらに、前記ナビゲーション画像取得手段が取得した前記ナビゲーション画像から、前記表示オブジェクトの画像部分を抽出し、前記表示装置に、表示ナビゲーション画像の表示上に重畳表示する形態で、前記抽出した画像部分もしくは当該画像部分を拡大した画像を表示する表示オブジェクト表示手段を設けることが好ましい。
【００１２】
このようにすることにより、ユーザ操作を受け付けるための表示オブジェクトを歪みなく表示装置に表示し、ユーザの表示オブジェクトの視認性や操作性を良好に保つことができるようになる。
【発明の効果】
【００１３】
以上のように、本発明によれば、携帯装置において生成される携帯装置の内蔵ディスプレイに整合するアスペクト比を有するナビゲーション画像の、できるだけ多くの領域を、良好な視認性をもって外部の表示装置に表示することができる。
【図面の簡単な説明】
【００１４】
【図１】本発明の実施形態に係る車載装置とスマートフォンの構成を示すブロック図である。
【図２】本発明の実施形態に係るナビゲーション画面画像表示処理の処理例を示す図である。
【図３】本発明の実施形態に係るナビゲーション画面画像表示処理を示すフローチャートである。
【図４】本発明の実施形態に係るナビゲーション画面画像表示処理の処理例を示す図である。
【図５】従来のナビゲーション画像の表示例を示す図である。
【発明を実施するための形態】
【００１５】
以下、本発明の実施形態について、車載装置に接続される携帯装置がスマートフォンである場合を例にとり説明する。
図１に、本第１実施形態に係る車載装置とスマートフォンの構成を示す。
スマートフォン２は、ユーザによって携帯されるモバイル装置であり、図示するように、操作部２０１、ディスプレイ２０２、マイクやスピーカなどを備えた音声入出力部２０３、ホストインタフェース２０４、スマートフォン２のＯＳであるところのＳＰ-オペレーティングシステム２０５、ＳＰ-オペレーティングシステム２０５によって管理されＳＰ-オペレーティングシステム２０５上で稼働するアプリケーションであるＳＰ-ＡＰ２０６、ＧＰＳ受信機２０７、ジャイロセンサ２０８、記憶部２０９、移動電話網にアクセスするための移動通信装置２１０を備えている。
【００１６】
ここで、スマートフォン２は、ＳＰ-ＡＰ２０６として、移動通信装置２１０や音声入出力部２０３や操作部２０１を用いた移動電話機能を提供する移動電話アプリケーションと、ナビゲーション機能を提供するナビゲーションアプリケーションと、その他のアプリケーションを備えている。
【００１７】
次に、車載装置１は、自動車に搭載される装置であり、図示するように、入力装置１０１、横長のアスペクト比を有する表示装置１０２、マイクやスピーカなどを備えた音声入出力装置１０３、デバイスインタフェース１０４、車載装置１のＯＳであるところのＨ-オペレーティングシステム１０５、Ｈ-オペレーティングシステム１０５によって管理されＨ-オペレーティングシステム１０５上で稼働するアプリケーションであるＨ-ＡＰ１０６、ラジオ放送やＴＶ放送の受信を行う放送受信機１０７、CDやDVDなどの記録ディスクの再生を行うディスクドライブ１０８、記憶装置１０９を備えている。
【００１８】
そして、車載装置１は、Ｈ-ＡＰ１０６として、メディアプレイヤアプリケーションと、コントロールアプリケーションと、その他のアプリケーションを備えている。ここで、メディアプレイヤアプリケーションは、放送受信機１０７が受信した放送の音声入出力装置１０３と表示装置１０２への出力や、ディスクドライブ１０８に装着された記録ディスクに記録されているオーディオコンテンツやビデオコンテンツの音声入出力装置１０３と表示装置１０２への再生などを行うアプリケーションである。また、コントロールアプリケーションは、車載装置１の入力装置１０１や表示装置１０２や音声入出力装置１０３を用いて、スマートフォン２のナビゲーションアプリケーションのユーザインタフェースを提供するアプリケーションである。
【００１９】
次に、スマートフォン２のホストインタフェース２０４と車載装置１のデバイスインタフェース１０４は、Bluetooth（登録商標）や、WIFIなどの無線通信インタフェースによって無線接続して相互通信を行うものである。
ただし、スマートフォン２は、ハードウエア的には、ＣＰＵやメモリなどを備えたコンピュータを用いて構成されるものあり、ＳＰ-オペレーティングシステム２０５や、ＳＰ-ＡＰ２０６などは、当該コンピュータが、所定のコンピュータプログラムを実行することにより実現されるものである。
【００２０】
また、同様に車載装置１は、ハードウエア的には、ＣＰＵやメモリなどを備えたコンピュータを用いて構成されるものであり、Ｈ-オペレーティングシステム１０５や、Ｈ-ＡＰ１０６などは、当該コンピュータが、所定のコンピュータプログラムを実行することにより実現されるものである。
【００２１】
さて、このような構成において、スマートフォン２のナビゲーションアプリケーションは、ＧＰＳ受信機２０７やジャイロセンサ２０８を利用した現在位置や現在進行方向の算出や、ユーザからの目的地の設定の受け付けや、設定された目的地までのルートの探索を行う。また、ナビゲーションアプリケーションは、地図データが表す地図上に、地図上の下部中央に配置した現在位置や現在の進行方向を表す現在地マークや、目的地までのルートや、ユーザ操作受け付け用または情報提示用のボタンオブジェクトを配置したナビゲーション画面画像を、現在進行方向が地図の上方向となるように生成する。ここで、このようにナビゲーションアプリケーションが生成するナビゲーション画面画像の解像度、アスペクト比は、現在のスマートフォン２のディスプレイ２０２の向き（縦長の向き/横長の向き）におけるディスプレイ２０２の解像度、アスペクト比に一致しており、ナビゲーションアプリケーションは、このように生成したナビゲーション画面画像をディスプレイ２０２に表示すると共に、ユーザの操作部２０１を用いたナビゲーション画面画像上のユーザ操作受付用のボタンオブジェクトの操作に応じた処理（たとえば、地図縮尺の変更など）を行う。なお、現在のスマートフォン２のディスプレイ２０２の向き（縦長の向き/横長の向き）は、ジャイロセンサ２０８を用いて検出するようにしてもよいし、その他の姿勢センサをスマートフォン２に設け、これにより検出するようにしてもよい。
【００２２】
また、スマートフォン２のナビゲーションアプリケーションは、スマートフォン２が車載装置１に接続されている期間中、生成したナビゲーション画面画像を車載装置１のコントロールアプリケーションに送信する処理と、生成したナビゲーション画面画像中に配置したボタンオブジェクトの識別と、ボタンオブジェクトのナビゲーション画面画像上での座標範囲を車載装置１のコントロールアプリケーションに通知する処理も行う。
【００２３】
ここで、図２ａに、このようにしてスマートフォン２のナビゲーションアプリケーションが生成しスマートフォン２のディスプレイ２０２に表示すると共に、車載装置１との接続中にはコントロールアプリケーションに送信するナビゲーション画面画像の例を示す。
図示した例は、スマートフォン２のディスプレイ２０２が縦長の向きで使用されているときのナビゲーション画面画像の例を表しており、ナビゲーション画面画像は、地図２１上に、地図の下部中央に配置した現在位置を表す現在地マーク２２が少なくとも表されたものとなる。また、この例では、ナビゲーション画面画像の左側に、ユーザ操作受付用のボタンオブジェクトとして、地図縮尺変更操作受付用のボタンオブジェクト（「+」、「-」のボタン）２３などが、情報提示用のボタンオブジェクトとして北方向を表すボタンオブジェクト（磁針のボタン）２４などが表示されている。
【００２４】
以下、このような構成において、車載装置１のコントロールアプリケーションは、スマートフォン２が車載装置１に接続されており、スマーフォンにおいてナビゲーションアプリケーションが実行されているときに行う処理について説明する。
まず、コントロールアプリケーションが行うナビゲーション画面画像表示処理について説明する。
図３に、このナビゲーション画面画像表示処理の手順を示す。
図示するように、この処理では、上述のようにスマートフォン２のナビゲーションアプリケーションから送信されるナビゲーション画面画像とボタンオブジェクト定義を取得する（ステップ３０２、３０４）。
そして、取得したナビゲーション画面画像のアスペクト比が縦長のアスペクト比か横長のアスペクト比かを調べる（ステップ３０６）。
そして、横長のアスペクト比であれば、ナビゲーション画面画像の縦及び横方向の大きさが車載装置１の表示装置１０２の表示画面の縦及び横方向の大きさに一致するようにナビゲーション画面画像を拡大/縮小して表示ナビゲーション画像を生成する（ステップ３１８）。ここで、ステップ３１８では、縦方向と横方向とを異なる倍率で拡大/縮小することを許容する。このように縦方向と横方向を異なる倍率で拡大/縮小しても、スマートフォン２のディスプレイ２０２を横長の向きとしたときのアスペクト比と、車載装置１の横長の表示装置１０２のアスペクト比に大きさ違いはないので、ナビゲーション画面画像が大きく歪んで視認性が劣化してしまうことはない。ただし、ステップ３１８では、ナビゲーション画面画像を縦方向と横方向とについて同じ倍率で、表示ナビゲーション画像が車載装置１の表示装置１０２の表示画面内に収まる最大のサイズとなるように拡大/縮小して表示ナビゲーション画像とするようにしてもよい。
【００２５】
そして、スマートフォン２から取得したボタンオブジェクト定義の各ボタンオブジェクトの座標範囲を、表示ナビゲーション画像上のボタンオブジェクトの座標範囲に変更することにより、表示ボタンオブジェクト定義を作成、保存する（ステップ３２０）。
そして、車載装置１の表示装置１０２の表示を生成した表示ナビゲーション画像の表示に更新し（ステップ３１６）ステップ３０２からの処理に戻る。
一方、スマートフォン２から取得したナビゲーション画面画像のアスペクト比が縦長のアスペクト比である場合には（ステップ３０６）、ナビゲーション画面画像の全領域もしくは上方の一部の領域を除く所定領域内の画像を、上方ほど縦方向の縮尺が小さくなり、かつ、全体サイズが表示装置１０２の画面と同サイズとなるように拡大、縮小して、表示ナビゲーション画像を生成する（ステップ３０８）。
【００２６】
すなわち、ステップ３０８では、たとえば、図２ａ-ｂに示すように、スマートフォン２から取得したナビゲーション画面画像の上方の一部の領域を除く領域である表示対象領域２５０の画像を図２ｂの表示対象画像として抽出する。ここで、表示対象領域２５０はアスペクト比が、車載装置１の表示装置１０２のアスペクト比よりも、縦長のアスペクト比となるように予め定めておく。ただし、表示対象領域２５０は、ナビゲーション画面画像の全体とすることもできる。
【００２７】
そして、図２ｂの表示対象画像を、上方ほど縦方向の縮尺が小さくなるように縮小することにより、全体のアスペクト比が車載装置１の表示装置１０２のアスペクト比と一致するように、表示対象画像を変換する。この変換は、たとえば、次のように行うことができる。
【００２８】
すなわち、図２ｂに示すように、表示対象画像の下方の領域を相似形表示領域２５０１とし、表示対象画像の相似形表示領域２５０１より上の部分を縦方向に４つに分割して得られる領域の各々を縮小表示領域２５０２-２５０５として、図２ｃに示すように、表示対象画像の相似形表示領域２５０１の部分の画像を相似変換対象部分画像２５１、表示対象画像の縮小表示領域２５０２-２５０５の部分の画像を縮小対象部分画像２５２-２５５とする。
【００２９】
そして、各縮小対象部分画像２５２-２５５に、表示対象画像中でより上の部分であったものほど縮尺が小さくなるように縮小率を割り当て、図２ｃ-ｄに示すように各縮小対象部分画像２５２-２５５を、割り当てた縮小率で縦方向についてのみ縮小し、縮小後の縮小対象部分画像２５２-２５５と相似変換対象部分画像２５１とを合成し、図２ｄの画像を生成する。ここで、各縮小対象部分画像２５２-２５５に割り当てる縮小率を、合成した図２ｄの画像のアスペクト比は、表示装置１０２のアスペクト比と一致するアスペクト比となるように予め定めておくことにより、図２ｄの画像は、アスペクト比が車載装置１の表示装置１０２のアスペクト比と一致する画像となる。
【００３０】
次に、このようにして合成した図２ｄの画像を相似変換により拡大/縮小して、表示装置１０２の画面と同サイズの表示ナビゲーション画像を生成する。ここで、相似変換により拡大/縮小するとは、縦横方向について同じ拡大率/縮小率で、画像を拡大/縮小することを表す。
【００３１】
さて、ここで、このようにして生成した表示ナビゲーション画像は、図２ｄに示すように、現在地マーク２０２によって示される現在地より前方に遠くなるほど縮尺が小さくなる地図、すなわち、擬似的に略現在地上方より俯瞰的に自動車の進行方向を眺めた地図を表すものとなる。よって、このような表示ナビゲーション画像の表示は自然であり、かつ、最も重要な現在地周辺については歪み少なく地図を表したものとなる。よって、このような表示ナビゲーション画像のスマートフォン２より取得したナビゲーション画面画像に対する歪みは、ユーザの視認性を大きく劣化させることはない。また、スマートフォン２より取得したナビゲーション画面画像の横方向の大きさが車載装置１の表示装置１０２の表示画面の横方向の大きさに一致するようにナビゲーション画面画像を相似変換により拡大/縮小して、図５ｃのように表示装置１０２の表示画面の全体に表示する場合に比べ、ユーザにとってより重要な自動車の進行方向について多くの領域の地図を表示装置１０２に表示することができる。また、表示ナビゲーション画像の表示は、表示装置１０２の表示画面の全体を有効に用いて行われることとなる。
【００３２】
さて、図３に戻り、このようにして表示ナビゲーション画像を生成したならば（ステップ３０８）、ナビゲーション画面画像の、スマートフォン２から取得したボタンオブジェクト定義が示す各ボタンオブジェクトの座標範囲のうち、上述した相似形表示領域２５０１内にない座標範囲の画像部分をボタン画像として抽出する（ステップ３１０）。すなわち、ステップ３１０では、たとえば、図４ａに示すようなナビゲーション画面画像から、相似形表示領域２５０１内にない、したがって、表示ナビゲーション画像に表示されないか、表示ナビゲーション画像では縦方向に潰れて表示されることとなるボタンオブジェクトとして、地図縮尺変更操作受付用のボタンオブジェクトである「+」、「-」のボタンオブジェクト３６１と、北方向を表すボタンオブジェクト（磁針のボタン）３６２の画像をボタン画像として抽出する。
【００３３】
そして、抽出した各ボタン画像を、変換後に所定サイズとなるように相似変換により拡大/縮小した表示ボタン画像を、表示ナビゲーション画像の所定領域内の位置に描画する（ステップ３１２）。ここで、表示ボタン画像のサイズは、車載装置１の表示装置１０２の表示上で、ユーザの視認、操作に充分なサイズとして予め決定しておく。
【００３４】
すなわち、ステップ３１２では、たとえば、図４ａに示すように「+」、「-」のボタンオブジェクト３６１と方位を表すボタンオブジェクト（磁針のボタン）３６２の画像を表示ボタン画像として抽出している場合には、これらの画像を、図４ｂに示した表示ナビゲーション画像の上の所定領域（図では左辺近く上下方向の略中央の領域）に、図４ｃに示すように描画する。このように表示ボタン画像を描画することにより、表示ナビゲーション画像に表示されないか、表示ナビゲーション画像では縦方向に潰れて表示されることとなるボタンオブジェクトについても、表示ナビゲーション画像上に、視認性、操作性良く表すことができるようになる。
【００３５】
さて、図３に戻り、表示ボタン画像を表示ナビゲーション画像の所定位置に描画したならば（ステップ３１２）、次にスマートフォン２から取得したボタンオブジェクト定義の各ボタンオブジェクトの座標範囲のうちの、相似形表示領域２５０１内にない座標範囲を、表示ナビゲーション画像上に当該ボタンオブジェクトを拡大/縮小して生成した表示ボタン画像を描画した座標範囲に変更することにより、表示ボタンオブジェクト定義を作成、保存する（ステップ３１４）。
【００３６】
そして、車載装置１の表示装置１０２の表示を生成した表示ナビゲーション画像の表示に更新し（ステップ３１６）ステップ３０２からの処理に戻る。
以上、車載装置１のコントロールアプリケーションが行うナビゲーション画面画像表示処理について説明した。
さて、車載装置１のコントロールアプリケーションは、以上のように表示装置１０２に表示ナビゲーション画像を表示すると共に、表示した表示ナビゲーション画像上でユーザのボタンオブジェクトの操作をユーザから受け付ける処理も行う。
すなわち、コントロールアプリケーションは、入力装置１０１を用いてユーザから指定された表示装置１０２の表示画面上の座標が、表示ボタンオブジェクト定義が示す座標範囲内の座標であった場合には、当該座標範囲に対応するボタンオブジェクトの表示ボタンオブジェクト定義が示すボタンオブジェクトの識別をスマートフォン２のナビゲーションアプリケーションに通知する。
【００３７】
そして、通知を受けたナビゲーションアプリケーションは、通知された識別が表すボタンオブジェクトが、ユーザ操作受付用のボタンオブジェクトである場合には、当該ボタンオブジェクトのユーザ操作が発生したものとして、当該ボタンオブジェクトに応じた処理（たとえば、地図縮尺の変更）を行う。
【００３８】
以上、本発明の実施形態について説明した。
なお、以上の実施形態は、スマートフォン２に代えて、ＰＤＡや、携帯電話などの任意の携帯装置を車載装置１に接続して用いる場合に同様に適用可能である。
【符号の説明】
【００３９】
１…車載装置、２…スマートフォン、１０１…入力装置、１０２…表示装置、１０３…音声入出力装置、１０４…デバイスインタフェース、１０５…Ｈ-オペレーティングシステム、１０６…Ｈ-ＡＰ、１０７…放送受信機、１０８…ディスクドライブ、１０９…記憶装置、２０１…操作部、２０２…ディスプレイ、２０３…音声入出力部、２０４…ホストインタフェース、２０５…ＳＰ-オペレーティングシステム、２０６…ＳＰ-ＡＰ、２０７…ＧＰＳ受信機、２０８…ジャイロセンサ、２０９…記憶部、２１０…移動通信装置。
【図１】
2014010063.tif 000003
【図２】
2014010063.tif 000004
【図３】
2014010063.tif 000005
【図４】
2014010063.tif 000006
【図５】
2014010063.tif 000007